(57)【特許請求の範囲】
【請求項１】
内部に放水口を有するヘッド本体と、前記放水口を塞ぐ弁体と、前記弁体に接続されたデフレクタと、感熱体を有し、前記弁体を支持する感熱分解機構とを備え、作動時に前記感熱分解機構が分解落下し、前記弁体及び前記デフレクタが降下するスプリンクラヘッドにおいて、
前記弁体と前記デフレクタと前記感熱分解機構とを有する駆動部を、前記放水口の中心軸を中心として放射状に分割した２以上の複数の分割駆動部から構成し、前記各分割駆動部において互いに隣接する分割感熱体同士を熱的に分離して配置し、作動時に降下する分割弁体及び分割デフレクタを作動位置で停止させるストッパー機構を前記各分割駆動部それぞれに設けたことを特徴とするスプリンクラヘッド。
【請求項２】
前記弁体の上方で前記ヘッド本体の下端部に係止され、前記各分割弁体毎に前記放水口を分割するノズルと、
前記駆動部の中心を貫通して上端が前記ノズルに固定された軸部を有し、前記軸部の下端に、前記感熱体が載置されるフランジ部が形成されたプランジャーとを有し、
前記フランジ部の上面には、前記各分割駆動部において互いに隣接する分割感熱体の境界の位置に断熱仕切板が立設されていることを特徴とする請求項１記載のスプリンクラヘッド。
【請求項３】
前記弁体の上方で前記ヘッド本体の下端部に係止され、前記分割弁体毎に前記放水口を分割するセパレータを有するノズルと、
前記駆動部の中心を貫通して上端が前記ノズルに固定された軸部を有し、前記軸部の下端に、前記感熱体が載置されるフランジ部が形成されたプランジャーとを有し、
前記ノズルの前記セパレータが前記プランジャーの前記フランジ部の上面に達するまで下方に延出された構成を有し、延出した先端部分により前記各分割駆動部において互いに隣接する分割感熱体同士の間を断熱的に仕切っていることを特徴とする請求項１記載のスプリンクラヘッド。
【発明の詳細な説明】
【技術分野】
【０００１】
本発明は、スプリンクラヘッドに関する。
【背景技術】
【０００２】
従来のスプリンクラヘッドとして、例えば止水手段と、ロック手段と、感熱手段とを備えたものがある（例えば、特許文献１参照）。このスプリンクラヘッドでは、作動時に放水口から３６０°全方向に向けて散水される。
【先行技術文献】
【特許文献】
【０００３】
【特許文献１】特開平１０−１７９７８９号公報（特許請求の範囲、図１）
【発明の概要】
【発明が解決しようとする課題】
【０００４】
上記スプリンクラヘッドは、火源の位置に係わらずスプリンクラヘッドの放水口から全方向に向けて散水されるため、消火に寄与せず無駄に放水される場合がある。
【０００５】
本発明は、上記の課題を解決するためになされたものであり、火源の方向に向けて散水し、無駄な放水を低減することが可能なスプリンクラヘッドを提供することにある。
【課題を解決するための手段】
【０００６】
本発明に係るスプリンクラヘッドは、内部に放水口を有するヘッド本体と、放水口を塞ぐ弁体と、弁体に接続されたデフレクタと、感熱体を有し、弁体を支持する感熱分解機構とを備え、作動時に感熱分解機構が分解落下し、弁体及びデフレクタが降下するスプリンクラヘッドにおいて、弁体とデフレクタと感熱分解機構とを有する駆動部を、放水口の中心軸を中心として放射状に分割した２以上の複数の分割駆動部から構成し、各分割駆動部において互いに隣接する分割感熱体同士を熱的に分離して配置し、作動時に降下する分割弁体及び分割デフレクタを作動位置で停止させるストッパー機構を各分割駆動部それぞれに設けたものである。
【発明の効果】
【０００７】
本発明に係るスプリンクラヘッドによれば、複数の分割駆動部のうち、火源に近く、火源からの熱の影響を強く受ける分割駆動部が作動するため、火源の方向に散水し、無駄な放水を低減することが可能である。
【図面の簡単な説明】
【０００８】
【図１】本発明の一実施の形態に係るスプリンクラヘッドの縦断面図である。
【図２】図１の固定部と分割駆動部の斜視図である。
【図３】図１の分割弁体とプランジャーとの接続状態を示す図である。
【図４】図１のスプリンクラヘッドを下方から見た斜視図である。
【図５】図１のスプリンクラヘッドから主に分割散水部を抽出して示した斜視図である。
【図６】隣接する分割感熱体同士の熱的な分離構造の他の一例を示す図である。
【図７】図１のスプリンクラヘッドの動作過程を示した図（１／２）である。
【図８】図１のスプリンクラヘッドの動作過程を示した図（２／２）である。
【発明を実施するための形態】
【０００９】
図１は、本発明の一実施の形態に係るスプリンクラヘッドの縦断面図である。図２は、図１の固定部と分割駆動部の斜視図である。なお、図２には、一つの分割駆動部のみを図示し、その他の分割駆動部の図示は省略している。図３は、図１の分割弁体とプランジャーとの接続状態を示す図で、図３（ａ）は斜視図、図３（ｂ）は平面図を示している。なお、図３には一つの分割駆動部における分割弁体とプランジャーとを示しており、他の分割駆動部の図示は省略している。図４は、図１のスプリンクラヘッドを下方から見た斜視図である。図５は、図１のスプリンクラヘッドの分割散水部の動作説明図で、動作説明に必要な箇所以外の部分の図示は省略している。
【００１０】
このスプリンクラヘッド１は、内部に放水口１２を有するヘッド本体１０と、フレーム２０と、固定部３０と、駆動部８０とを有しており、駆動部８０が、放水口１２の中心軸を中心として放射状に２以上の複数、例えば３つに分割されて３つの分割駆動部８０Ａ（図２参照）から構成され、それぞれが独立して作動可能としたことに特徴を有するものである。以下、各構成要素について順に説明する。なお、駆動部８０の分割数は、３つに限定されるものではなく、２以上の複数に分割可能である。
【００１１】
ヘッド本体１０は、中心部が開口されている。この開口部１１は、後述の放水筒１６とともに放水口１２を形成する。ヘッド本体１０の外周部にはフランジ１３が形成されており、フランジ１３より上側のヘッド本体１０の外周部には給水管に接続されるねじ部１４が形成されており、また、フランジ１３の下側の内周部には、後述するフレーム２０が取り付けられるためのねじ部１５が形成されている。
【００１２】
ヘッド本体１０の内側には円筒状の放水筒１６が下方に突出して形成されている。ヘッド本体１０の放水筒１６の下端部には、内側に突出した係止段部１６ａが設けられ、係止段部１６ａには後述のノズル３１が係止される。ノズル３１は後述する弁体４０の上方で、ヘッド本体１０の下端部に係止される。
【００１３】
フレーム２０は、円筒状に形成されている。フレーム２０の上部の外周部にはねじ部２１が形成され、ヘッド本体１０の下部側に形成されたねじ部１５に取付けられる。フレーム２０の下部には、内側に突出した係止段部２２が設けられ、係止段部２２には後述のボール６１が係止される。
【００１４】
固定部３０は、ノズル３１と、プランジャー３２と、セットスクリュー３３とを備えている。
【００１５】
ノズル３１は、放水筒１６の係止段部１６ａに係止される円筒部３１ａと、円筒部３１ａの内部を駆動部８０の分割数と同数に分割するセパレータ３１ｂとが一体に形成されている。セパレータ３１ｂは、円筒部３１ａの中心に位置する円柱状の中心部３１ｃの周面から円筒部３１ａの内面まで平板が放射状に延びた形状を有し、放水口１２をほぼ扇状に各分割弁体４０Ａ毎に、本実施例の場合は３つに分割している。中心部３１ｃの下面には凹部が形成され、その凹部の周面には、後述のセットスクリュー３３がネジ固定される雌ねじ３１ｄが形成されている。
【００１６】
プランジャー３２は、駆動部８０の中心を貫通して、上端がノズル３１に固定された軸部３２ａと軸部３２ａの下部に形成され、監視時には駆動部８０を係止し、作動時に後述の分割弁体４０Ａ及び分割デフレクタ５１Ａの落下を防止するフランジ部３２ｂとを有し、軸部３２ａの上面がノズル３１の中心部３１ｃの下面に接触している。プランジャー３２の内部には、軸方向に貫通する貫通孔が形成されており、その貫通孔にセットスクリュー３３がノズル３１の反対側から挿通され、セットスクリュー３１の軸部の先端にある雄ねじとノズル３１の雌ねじ３１ｄを螺合することで、セットスクリュー３３、プランジャー３２及びノズル３１が結合されている。また、プランジャー３２の軸部３２ａの外周面には、図３に示すように後述の分割弁体４０Ａの一対の突条部４０ｄが係止する一対の係止溝３２ｄが、軸方向に延びて周方向に３箇所に設けられている。
【００１７】
プランジャー３２のフランジ部３２ｂの上面には、ノズル３１のセパレータ３１ｂと対向する位置に断熱仕切板３２ｅ（図３参照、図２では図示略）が立設されている。断熱仕切板３２ｅによって仕切られたフランジ部３２ｂの上面上の各領域には、後述の略扇状の分割感熱体７２Ａ（図２参照）が載置され、各分割感熱体７２Ａ同士が互いに熱的に分離するようにしている。
【００１８】
互いに隣接する分割感熱体７２Ａ同士を熱的に分離する方法としては、隣接する分割感熱体７２Ａ同士を空間的に離間するだけでも効果はあるが、本例では、プランジャー３２のフランジ部３２ｂの上面に、各分割駆動部８０Ａにおいて互いに隣接する分割感熱体の境界の位置に断熱仕切り板３２ｅを立設した。このように互いに隣接する分割感熱体７２Ａ同士を積極的に仕切る構成としたので、熱的な分離効果、言い換えれば熱伝達防止効果は高い。他に例えば、図６に示すように、ノズル３１のセパレータ（断熱材で構成）３１ｂをプランジャー３２の上面に接触するまで延ばした構造としてもよい。
【００１９】
以下、駆動部８０の構成を説明する。駆動部８０は、弁体４０とデフレクタ５１を有する散水部５０と、感熱分解機構７０とを備えており、散水部５０と感熱分解機構７０のそれぞれが、上述したように放水口１２の中心軸を中心として放射状に３分割され、３つの分割駆動部８０Ａが構成されている。各分割駆動部８０Ａの構成は同じである。以下、各構成要素について順に説明する。
【００２０】
弁体４０は、ノズル３１の下方に配置され、全体として直径の異なる複数の円柱を同軸に重ねて一体化した形状を有しており、ノズル３１の分割領域に合わせて放射状に３分割されている。そして、各分割弁体４０Ａ（図２参照）が、ノズル３１によって放射状に分割された各放水口１２を塞いでいる。弁体４０の最上段の円柱の径はノズル３１の円筒部３１ａの内径より小さく形成されてノズル３１内に突出する凸部４０ａとなっており、凸部４０ａより下の２段の円柱は最上段の円柱よりも大径に形成されたフランジ部４０ｂとなっている。このフランジ部４０ｂで、ヘッド本体１０の弁座１７を塞いでいる。なお弁座１７には環状のテフロン（登録商標）シートが設けられるか、テフロン（登録商標）コーティングが施され、放水口１２からの漏水を防止している。環状のテフロン（登録商標）シートを用いた場合、一部の分割駆動部８０Ａのみが作動した際にその他の作動しない分割駆動部８０Ａの分割弁体４０Ａと共に現状の位置に残ることになるが、テフロン（登録商標）シートは柔らかいため放水の邪魔となることはない。
【００２１】
弁体４０の中央部には上下方向に貫通する貫通穴４０ｃが形成されており、貫通穴４０ｃ内部の上部側にはノズル３１の中心部３１ｃが挿入され、貫通穴４０ｃの下部側にはプランジャー３２の軸部３２ａが挿入される。弁体４０は、後述する感熱分解機構７０によって支えられ、作動前は図１の位置に保持されている。各分割弁体４０Ａそれぞれにおいて、貫通穴４０ｃの内周面には、図３に示すように上下方向に渡って突出する一対の突条部４０ｄが形成されており、プランジャー３２の外周面に設けられた一対の係止溝３２ｄに係止されている。この一対の突条部４０ｄは、互いに交差する方向に向けて突出形成されており、放水動作時に分割弁体４０Ａが降下する際に、プランジャー３２の軸部３２ａから半径方向に抜けて落下するのを防止している。これにより、分割弁体４０Ａがプランジャー３２のフランジ部３２ｂに係止する作動位置（図５（ｂ）参照）まで、分割弁体４０Ａが安定して導びかれる。なお、分割駆動部８０Ａのそれぞれに設けられ、作動時に降下する分割弁体４０Ａ及び分割デフレクタ５１Ａを作動位置で停止させるストッパー機構としての構造は、この構造に限られず、以下に説明する散水部５０におけるガイドロッド５２周辺の構造によっても可能である。この構造については後述する。
【００２２】
散水部５０は、前述の弁体４０と、デフレクタ５１と、ガイドロッド５２とを備えており、３つの分割散水部５０Ａに分割され、それぞれが独立して散水可能に構成されている。各分割散水部５０Ａの構成は同じである。以下、順に説明する。
デフレクタ５１は、中央に開口部を有し、周縁部に散水溝が形成された円板によって構成されており、その開口部に弁体４０の下部が挿入された状態で、弁体４０のフランジ部４０ｂ下面に接続されている（固定されている）。デフレクタ５１も弁体４０と同様、ノズル３１の分割領域に合わせて放射状に３分割され、各分割デフレクタ５１Ａにはそれぞれ、ガイドロッド５２が挿入される挿入穴５１ａが設けられている。ガイドロッド５２は、その下端が拡径した段部５２ａとなっており、段部５２ａの上面がデフレクタ５１の下面に接触した状態でデフレクタ５１に固定されている。したがって、これらの分割弁体４０Ａ、分割デフレクタ５１Ａ及びガイドロッド５２は一体的に構成されている。
【００２３】
ストッパー５３は、全体として上下の両端が閉塞された円筒状に形成され、中心部に上下方向に貫通する貫通穴が形成された構成を有し、弁体４０及びデフレクタ５１と同様にノズル３１の分割領域に合わせて放射状に３分割されている。各分割ストッパー５３Ａは、フレーム２０の内周面に沿う周面部５３ａと周面部５３ａの上端及び下端のそれぞれから径方向内側に向けて放水筒１６の外周まで延びる上側環状平坦部５３ｂ及び下側環状平坦部５３ｃを有し、断面コ字状に形成されている。ストッパー５３の全体としての外径は、フレーム２０の係止段部２２の内径よりも大きく形成され、分割ストッパー５３Ａは、放水動作時に分割散水部５０Ａより下方の後述の分割感熱分解機構７０Ａが落下すると、自重によりフレーム２０の係止段部２２まで下降するように構成されている。
【００２４】
分割ストッパー５３Ａの下側環状平坦部５３ｃには、分割デフレクタ５１Ａの挿入穴５１ａに対向する位置に挿通穴５３ｄが設けられており、この挿通穴５３ｄにガイドロッド５２の軸が挿通されている。ガイドロッド５２の軸の上端には、挿通穴５３ｄよりも大きいストッパー用の拡径された段部５２ｂが形成されている。以上の構成により、分割ストッパー５３Ａは、放水動作時に、ガイドロッド５２に摺動して係止段部２２ａまで移動可能となるようにガイドロッド５２に取り付けられている。見方を変えると、ガイドロッド５２は、放水動作時に、分割ストッパー５３Ａの挿通穴５３ｄに沿って下方に移動可能となるように分割ストッパー５３Ａに取り付けられている。
【００２５】
分割ストッパー５３Ａの上側環状平坦部５３ｂは、下側環状平坦部５３ｃがフレーム２０の係止段部２２に係止した状態において放水筒１６の下端より上方に位置し、分割ストッパー５３Ａが降下する際には、上側環状平坦部５３ｂの内周面が放水筒１６の外周によってガイドされると共に、周面部５３ａがフレーム２０の内周面にガイドされる。このようにフレーム２０内でガイドされて放水動作時に係止段部２２ａまで下降して停止する分割ストッパー５３Ａに、分割弁体４０Ａ及び分割デフレクタ５１Ａがガイドロッド５２を介して上下動可能に係止されている。分割ストッパー５３Ａとガイドロッド５２により、分割デフレクタ５１Ａ及び分割弁体４０Ａを放水動作時に降下させて作動位置で停止させるストッパー機構が構成されている。
【００２６】
分割ストッパー５３Ａの下側環状平坦部５３ｃとデフレクタ５１との間の隙間には、下側環状平坦部５３ｃを上方に押し上げる方向に付勢する板バネ（図示せず）が配置され、通常時は、分割ストッパー５３Ａは、板バネ（図示せず）に押圧されてフレーム２０内の上部側に配置されている（図５（ａ）参照）。放水動作時には、分割ストッパー５３Ａが係止段部２２ａに係止するまで下降すると共に、分割弁体４０Ａがプランジャー３２のフランジ部３２ｂに係止するまで分割デフレクタ５１Ａ及びガイドロッド５２と共に下降し、このとき、ガイドロッド５２の上端の段部５２ｂが分割ストッパー５３Ａの下側環状平坦部５３ｃに係止した状態となる（図５（ｂ）参照）。また、下側環状平坦部５３ｃとデフレクタ５１との間の板バネはなくても放水動作は可能であるが、この板バネがあると、デフレクタ５１を介して弁体４０を下方向に押す力が働くので、放水動作時に弁体４０がノズル３１から離脱することを補助する。これにより、放水動作時に、より確実に動作させることが可能となる。
【００２７】
ストッパー５３の下側環状平坦部５３ｃは、フレーム２０の高さ方向のほぼ中間であって、フレーム２０に設けたスリットに対向する位置に設けられている。なお、このスリットは、必ずしもストッパー５３と対向する位置に設けなくてもよい。
【００２８】
感熱分解機構７０は、感熱板７１、感熱体７２、断熱材７３、ボール保持機構６０及び板バネ６４を備えている。感熱分解機構７０も放射状に３つに分割され、各分割感熱分解機構７０Ａ毎に独立して動作可能である。以下、各構成要素について順に説明する。
【００２９】
感熱体７２は、例えば半田等で構成され、全体として環状を成し、径方向に分割された略扇状の３つの分割感熱体７２Ａが、上述したようにプランジャー３２の軸部３２ａの下部に形成されたフランジ部３２ｂの上面に載置されている。隣接する分割感熱体７２Ａ同士の間には、上述したように断熱仕切板３２ｅが位置して熱的に分離されている。このように、隣接する分割感熱体７２Ａ同士を熱的に分離して配置することにより、火災時に何れかの分割感熱体７２Ａで受熱した熱が、隣接する分割感熱体７２Ａに伝わるのを防止でき、必要箇所のみの分割駆動部８０Ａの作動が可能となる。そして、各分割感熱体７２Ａそれぞれの上部に、略扇状であって、断面クランク型の分割感熱板７１Ａが設けられている。即ち、この各分割感熱板７１Ａは、プランジャー３２のフランジ部３２ｂに設けられた分割感熱体７２Ａを覆う突部７１ａと、この突部７１ａに連続し、ヘッド本体１０の軸芯に対して直交する方向に延びた円板部７１ｂとを備えている。そして、分割感熱板７１Ａには、後述する分割ボール保持機構６０Ａによって分割感熱体７２Ａを圧縮するように力がかかっている。
【００３０】
分割感熱板７１Ａの上部には、各分割感熱体７２Ａそれぞれに対応して設けられた扇状の各分割断熱材７３Ａが設けられ、分割感熱板７１Ａで受熱した熱が後述する分割バランサー６３Ａ側に逃げないようにしてある。なお、分割断熱材７３Ａと分割感熱板７１Ａとの間には、径の大きい別の分割感熱板７４Ａを必要に応じて設けるようにしてもよい。この分割感熱板７４Ａも各分割感熱体７２Ａそれぞれに対応して各分割感熱板７１Ａと同数、分割感熱板７１Ａと対向して設けられている。
【００３１】
ボール保持機構６０は、ボール６１、スライダー６２、バランサー６３及び板バネ６４を備えている。ボール６１の外周下部は、フレーム２０の係止段部２２に係止されている。この状態で、ボール６１を上から押さえるのがスライダー６２であり、スライダー６２からボール６１に力がかかることで、ボール６１には内側に入り込む方向に力が作用する。
【００３２】
バランサー６３は、ボール６１の内側に設けられ、この内側に入りこもうとするボール６１の動きを規制する。スライダー６２及びバランサー６３共に全体として円板状に形成され、各分割散水部５０Ａに対応して放射状に３つに分割されている。スライダー６２及びバランサー６３の中央には同径の貫通穴があり、スライダー６２及びバランサー６３の貫通穴にはプランジャー３２が貫通している。プランジャー３２の外径は、スライダー６２及びバランサー６３の貫通穴の内径よりもわずかに小さく、両者は結合していない。
【００３３】
バランサー６３は、貫通穴を有する筒部と、その筒部の上方に設けられた円板部とを組み合わせた形状となっている。バランサー６３の外周下部には段部が形成されている。この外周下部の段部は、フレーム２０の係止段部２２の内周下部にある段部に、当接するように構成されており、バランサー６３の下側から外力がかかった場合には、この部分で衝撃を吸収する。また、バランサー６３の筒部の下部であって中央の貫通穴の周りには、断熱材７３がはまる段部６３ａが突出し、バランサー６３の円板部の上部には、ボール６１があたるボール受け用の段部６３ｂが突出して形成されている。
【００３４】
スライダー６２の外周側下部のボール６１が接する面は、下方に向かって内側に傾斜するようにテーパ状（傾斜部）に形成されている。スライダー６２の外周側下部のボール６１が接する面に凹部６２ａを形成すると、組み立て易くなるので、なお良い。
【００３５】
上述のように、ボール６１には、常に内側に移動するように力がかかるので、各分割ボール保持機構６０Ａにおいて、分割バランサー６３Ａを下方に、また分割スライダー６２Ａを上方に移動させるように力が作用する。従って、分割感熱体７２Ａである半田が溶融して流出すれば、分割バランサー６３Ａが下方に移動し、それに伴って、ボール６１が内側に入り込み、フレーム２０の係止段部２２との係止状態が解除されるので、分割ボール保持機構６０Ａは分割感熱板７１Ａと共に落下する。分割ボール保持機構６０Ａが落下すれば、それに伴って、分割散水部５０Ａを構成する分割弁体４０Ａ及び分割ストッパー５３Ａ等が降下して、放水が行われることになる。
【００３６】
板バネ６４は、弁体４０とスライダー６２との間に各分割散水部５０Ａのそれぞれに対応して１つずつ設けられ、圧縮して配置されることで、組み立て時の荷重の大半を負担する。また、板バネ６４は、分割ボール保持機構６０Ａが落下した際に、分割スライダー６２Ａを下方に押圧して分割スライダー６２Ａを落下させやすくする役割を有している。
【００３７】
上記のようなスプリンクラヘッド１には、図１の状態においては、放水口１２の消火水の水圧や部品の組立荷重がボール６１に作用し、ボール６１は内側（中心側）に移動しようとするが、ボール６１は、バランサー６３によってその移動が阻止されており、ボール保持機構６０はボール６１を保持している。そして、この状態においては、板バネ６４が弁体４０を上方に押圧しており、弁体４０がヘッド本体１０の放水口１２を封止している。このため、スプリンクラヘッド１には、加圧された消火水が供給されるが、消火水は漏れない。また、散水部５０は、弁体４０にデフレクタ５１が固定され、デフレクタ５１にガイドロッド５２が固定されており、弁体４０が放水口１２を封止している状態では、ガイドロッド５２がフレーム２０の上部空間に収納された状態になっている。
【００３８】
図７（ａ）〜（ｄ）及び図８（ｅ）〜（ｈ）はスプリンクラヘッド１の動作過程を示した図である。本例のスプリンクラヘッド１において、分割駆動部８０Ａが感熱した際の動作はどの分割駆動部８０Ａでも同じであるため、図７及び図８には一つの分割駆動部８０Ａのみを図示し、図７及び図８を参照してその動作を説明する。
【００３９】
スプリンクラヘッド１の監視状態（図７（ａ））においては、ヘッド本体１０の放水口１２には加圧された消火水が供給されており、弁体４０には消火水の圧力が加えられている（図１参照）。火災が発生し、その熱気流が感熱板７１に当たると、感熱板７１は加熱され、感熱板７１の熱が感熱体７２へ伝播する。このとき、感熱板７１のうち、火源に近い分割感熱板７１Ａから対応の分割感熱体７２Ａへと熱が伝播することになる。そして、分割感熱体７２Ａが周囲から加熱されて溶融し始めると、溶融した分割感熱体７２Ａはプランジャー３２と分割感熱板７１Ａ（突部７１ａ）との間に形成された隙間から流出してその体積が減少する（図７（ｂ））。
【００４０】
そして、分割バランサー６３Ａが降下することによって上方から押されたボール６１が内側に移動し、分割スライダー６２Ａが降下することになるが、分割スライダー６２Ａが降下しても分割弁体４０Ａは弁座１７に圧接されて、放水口１２を塞いだ状態を維持する。これは、板バネ６４の作用によるもので、分割ボール保持機構６０Ａが完全に落下するまで分割弁体４０Ａが弁座１７から離れるのを防止している。
【００４１】
分割感熱体７２Ａが溶融して外部に流出すると、分割感熱板７１Ａは分割感熱体７２Ａの流出量に対応して降下する。分割感熱板７１Ａが降下すると、分割感熱板７１Ａの上に取り付けられている分割断熱材７３Ａ及び分割バランサー６３Ａが降下する（図７（ｃ））。分割バランサー６３Ａが降下すると、分割バランサー６３Ａと分割スライダー６２Ａとの間の間隙が広がり、内側に付勢されているボール６１が分割バランサー６３Ａの段部６３ｂを越えて内側に移動し、フレーム２０の係止段部２２とボール６１との係合が解かれ、分割感熱分解機構７０Ａ全体が落下する（図７（ｄ））。ここで、分割感熱分解機構７０Ａの分割感熱板７１Ａ、分割感熱板７４Ａ、分割バランサー６３Ａ及び分割スライダー６２Ａは外側に重心を持つため、外側に傾いて作動し、プランジャー３２の軸部３２ａから離れて落下する。
【００４２】
分割感熱分解機構７０Ａが落下すると、分割散水部５０Ａが降下する。すなわち、分割弁体４０Ａと、分割弁体４０Ａに取り付けられている分割デフレクタ５１Ａと、その分割デフレクタ５１Ａに取り付けられているガイドロッド５２とが降下する。ガイドロッド５２が降下すると、分割デフレクタ５１Ａと分割ストッパー５３Ａの下側環状平坦部５３ｃとの間の板バネ（図示せず）の付勢力が解除され、分割ストッパー５３Ａも降下する（図８（ｅ））。分割ストッパー５３Ａが更に降下して下側環状平坦部５３ｃがフレーム２０の係止段部２２に係止される（図８（ｆ））。そして、その位置から分割弁体４０Ａ及び分割デフレクタ５１Ａが更に降下してプランジャー３２のフランジ部３２ｂに係止した作動位置に停止し、ガイドロッド５２及び分割ストッパー５３Ａによりフレーム２０から吊り下げられた状態になる（図８（ｇ））。
【００４３】
本実施の形態では、放水動作時において、分割弁体４０Ａ及び分割デフレクタ５１Ａが、プランジャー３２の外周面の係止溝３２ｄ（図３参照）によりガイドされながらガイドロッド５２と共に下降するので、分割弁体４０Ａ及び分割デフレクタ５１Ａの下降動作が円滑に行われる。また分割ストッパー５３Ａの下側環状平坦部５３ｃをフレーム２０の高さ方向のほぼ中間に設けることで、分割ストッパー５３Ａ自体の下降量も減らせるので、放水時の動作がスムーズになる。
【００４４】
以上のようにして分割弁体４０Ａが降下すると、その分割弁体４０Ａに対応する放水口１２の分割領域が開放され、加圧された消火水が分割デフレクタ５１Ａから散水され（図８（ｈ））、火災を消火する。なお、図７及び図８において他の分割駆動部８０Ａの図示は省略したが、非作動の分割駆動部８０Ａは図１の位置のまま保たれる。よって、作動した分割駆動部８０Ａの分割散水部５０Ａのみから放水が行われる。
【００４５】
以上説明したように、本実施の形態によれば、分割駆動部８０Ａがそれぞれ独立して作動するようにしたので、火災時には、複数の分割駆動部８０Ａのうち、火源に近く、火源からの熱の影響を強く受ける分割駆動部８０Ａが作動する。すなわち、火源からの熱気流方向に対する面の分割感熱体７２Ａが溶け、その分割感熱体７２Ａを有する分割駆動部８０Ａが作動し、火源に向かって集中的に散水することができる。よって、消火効率が向上し、無駄な放水が低減され、水損失を少なくすることができる。
【００４６】
また、各分割駆動部８０Ａにおいて互いに隣接する分割感熱体７２Ａ同士を熱的に分離して配置したので、火災時に何れかの分割感熱体７２Ａで受熱した熱が隣接する分割感熱体７２Ａに伝わるのを防止でき、必要箇所の分割駆動部８０Ａだけを作動させることが可能となる。また、互いに隣接する分割感熱体７２Ａ同士を熱的に分離する構造として、断熱仕切板３２ｅを設けた場合や、ノズル３１のセパレータ３１ｂをプランジャー３２の上面に接触するまで延ばした構造とした場合、熱的な分離効果を更に高めることができる。
【００４７】
弁体４０の上方でヘッド本体１０の下端部に係止され、分割弁体４０Ａ毎に放水口１２を分割するセパレータ３１ｂを有するノズル３１の場合、駆動部８０の中心を貫通して上端がノズル３１に固定された軸部３２ａを有し、軸部３２ａの下端に、感熱体７２が載置されるフランジ部３２ｂが形成されたプランジャー３２を備え、ノズル３１のセパレータ３１ｂがプランジャー３２のフランジ部３２ｂの上面に達するまで下方に延出された構成を有し、延出した先端部分により各分割駆動部８０Ａにおいて互いに隣接する分割感熱体７２Ａ同士の間を断熱的に仕切っている。
【符号の説明】
【００４８】
１  スプリンクラヘッド、１０  ヘッド本体、１１  開口部、１２  放水口、１３  フランジ、１４  ねじ部、１５  ねじ部、１６  放水筒、１６ａ  係止段部、１７  弁座、２０  フレーム、２１  ねじ部、２２  係止段部、２２ａ  係止段部、３０  固定部、３１  ノズル、３１ａ  円筒部、３１ｂ  セパレータ、３１ｃ  中心部、３１ｄ  雌ねじ、３２  プランジャー、３２ａ  軸部、３２ｂ  フランジ部、３２ｃ  雌ねじ、３２ｄ  係止溝、３２ｅ  断熱仕切板、３３  セットスクリュー、４０  弁体、４０Ａ  分割弁体、４０ａ  凸部、４０ｂ  フランジ部、４０ｃ  貫通穴、４０ｄ  突条部、５０  散水部、５０Ａ  分割散水部、５１  デフレクタ、５１Ａ  分割デフレクタ、５１ａ  挿入穴、５２  ガイドロッド、５２ａ  段部、５２ｂ  段部、５３  ストッパー、５３Ａ  分割ストッパー、５３ａ  周面部、５３ｂ  上側環状平坦部、５３ｃ  下側環状平坦部、５３ｄ  挿通穴、６０  ボール保持機構、６０Ａ  分割ボール保持機構、６１  ボール、６２  スライダー、６２Ａ  分割スライダー、６２ａ  凹部、６３  バランサー、６３Ａ  分割バランサー、６３ａ  段部、６３ｂ  段部、６４  板バネ、７０  感熱分解機構、７０Ａ  分割感熱分解機構、７１  感熱板、７１Ａ  分割感熱板、７１ａ  突部、７１ｂ  円板部、７２  感熱体、７２Ａ  分割感熱体、７３  断熱材、７３Ａ  分割断熱材、７４Ａ  分割感熱板、８０  駆動部、８０Ａ  分割駆動部。
【図１】
0005562227.tif 000002
【図２】
0005562227.tif 000003
【図３】
0005562227.tif 000004
【図４】
0005562227.tif 000005
【図５】
0005562227.tif 000006
【図６】
0005562227.tif 000007
【図７】
0005562227.tif 000008
【図８】
0005562227.tif 000009